(57)【要約】【課題】光源の駆動を制御し、かつ、表示する画像の色合いの変化を防止する。【解決手段】液晶表示装置１は、ＬＣＤパネル６０と、色補正パラメータを記憶する記憶部２５と、ＬＣＤパネル６０に表示する画像のフレームに対応してＬＥＤ５２ｒ・５２ｇ・５２ｂの発光率を変化させる発光率演算部３２と、ＬＥＤ５２ｒ・５２ｇ・５２ｂの発光率の変化を検知する状態検知部１１と、状態検知部１１が上記検知を行うと、発光率演算部３２が変化させたＬＥＤ５２ｒ・５２ｇ・５２ｂのミックス率又はオフセットから記憶部２５に記憶されている色補正パラメータの修正率を取得する修正率取得部１２と、修正率取得部１２が取得した色補正パラメータの修正率と、記憶部２５に記憶されている色補正パラメータとから、発光率の変化後の、フレームの色補正パラメータを算出する色補正パラメータ演算部２２とを備えている。【選択図】図１
2011099961.tif 000002
【特許請求の範囲】
【請求項１】
画像を表示可能な表示パネルと、当該表示パネルに光を照明する光源とを備え、上記光源は上記表示パネルに表示させる画像の画像信号に対応して、上記光源の発光率を変化させる表示装置であって、
上記画像信号の色補正の補正値を記憶する記憶部と、
上記画像信号に対応して、上記光源の発光率を変化させる発光率変化手段と、
上記発光率変化手段が上記光源の発光率を変化させたことを検知する検知手段と、
上記検知手段が上記光源の発光率の変化を検知すると、上記発光率変化手段が変化させた上記光源の発光率の変化量から、上記記憶部に記憶されている色補正の補正値の修正率を取得する修正率取得手段と、
上記修正率取得手段が取得した上記色補正の修正率と、上記記憶部に記憶されている上記色補正の補正値とから、上記発光率変化手段が上記光源の発光率を変化させたときの、上記画像信号の色補正の補正値を算出する色補正演算手段とを備えていることを特徴とする表示装置。
【請求項２】
上記光源は、複数に分割された領域毎に配されており、
上記記憶部は、複数の上記領域毎に、上記画像信号の色補正の補正値を記憶し、
上記発光率変化手段は、複数の上記領域毎に、上記画像信号に対応して上記光源の発光率を変化させ、
上記検知手段は、複数の上記領域のうち、少なくとも１つの領域における上記光源の発光率を、上記発光率変化手段が変化させたことを検知し、
上記修正率取得手段は、上記検知手段が上記光源の発光率の変化を検知すると、上記発光率変化手段が発光率を変化させた領域における上記光源の発光率の変化量から、上記記憶部に記憶されている上記領域に対応する色補正の補正値の修正率を取得し、
上記色補正演算手段は、上記修正率取得手段が取得した上記色補正の修正率と、上記記憶部に記憶されている上記領域に対応する色補正の補正値とから、上記領域の上記発光率変化手段が上記光源の発光率を変化させたときの、上記画像信号の色補正の補正値を算出することを特徴とする請求項１に記載の表示装置。
【請求項３】
上記検知手段が上記光源の発光率の変化を検知すると、上記修正率取得手段は、上記発光率変化手段が変化させた上記光源の発光率の変化量から、演算により、上記記憶部に記憶されている色補正の補正値の修正率を取得することを特徴とする請求項１または２に記載の表示装置。
【請求項４】
上記記憶部には、上記光源の発光率の変化量と、上記色補正の補正値の修正率とが対応付けて記憶されており、
上記検知手段が上記光源の発光率の変化を検知すると、上記修正率取得手段は、上記発光率変化手段が変化させた上記光源の発光率の変化量に対応付けられている上記色補正の修正率を、上記記憶部から取得することを特徴とする請求項１または２に記載の表示装置。
【請求項５】
画像を表示可能な表示パネルと、当該表示パネルに光を照明し、当該表示パネルに表示させる画像の画像信号に対応して、発光率を変化させる光源と、を備えている表示装置に上記画像を表示させる表示方法であって、
上記画像信号の色補正の補正値を記憶する記憶ステップと、
上記画像信号に対応して、上記光源の発光率を変化させる発光率変化ステップと、
上記発光率変化ステップで上記光源の発光率を変化されたことを検知する検知ステップと、
上記検知ステップで上記光源の発光率の変化が検知されると、上記発光率変化ステップで変化された上記光源の発光率の変化量から、上記記憶ステップで記憶された色補正の補正値の修正率を取得する修正率取得ステップと、
上記修正率取得ステップで取得された上記色補正の修正率と、上記記憶ステップで記憶された上記色補正の補正値とから、上記発光率変化ステップで上記光源の発光率が変化させたときの、上記画像信号の色補正の補正値を算出する色補正演算ステップとを含むことを特徴とする表示方法。
【請求項６】
請求項１〜４の何れか１項に記載の表示装置を動作させるための表示プログラムであって、コンピュータを上記の各手段として機能させるための表示プログラム。
【請求項７】
請求項６に記載の表示プログラムを記録している、コンピュータ読み取り可能な記録媒体。
【発明の詳細な説明】
【技術分野】
【０００１】
本発明は、表示させる画像の画像信号によって、光源の駆動を制御する表示装置に関する。
【背景技術】
【０００２】
一般的に、液晶表示装置には、液晶表示パネルを照明する光源として、バックライトが用いられている。しかし、液晶表示パネル側で、最適な色補正を行ったとしても、バックライトの種類が変わると、バックライトの色合いによって、液晶表示パネルの色合いも変化するという課題が生じる。
【０００３】
特許文献１には、カラーＬＣＤと、蛍光灯からなるバックライトを備えている液晶表示装置が開示されている。
【０００４】
特許文献１に記載の液晶表示装置は、カラーＬＣＤの裏面側であって、バックライトの照射範囲内に、バックライトの色温度を検出するセンサが取り付けられている。そして、特許文献１の液晶表示装置は、センサで検出したバックライトの色温度から、バックライトの３原色信号Ｒ・Ｇ・Ｂを得て、この信号により、カラーＬＣＤのホワイトバランスを調整している。これにより、バックライトとして蛍光灯を用い、バックライトの照明領域が分割されていない液晶表示装置での色補正の精度を向上させることができる。
【０００５】
また、近年では、バックライトでの消費電力を低減するために、表示パネルに表示する画像信号によって、バックライト全面の輝度を制御する駆動方法が開発されている。なお、以下の説明では、このような駆動方法をアクティブ駆動と称する。アクティブ駆動のバックライトの光源として、白色または赤（Ｒ）・緑（Ｇ）・青（Ｂ）の３色を組み合わせたＬＥＤが用いられている。
【０００６】
また、さらに消費電力を低減するために、バックライトを複数の領域（エリア）に分割し、その分割したそれぞれの領域に配されているＬＥＤを個別に駆動制御を行うバックライトが開発されている。なお、以下の説明では、このような駆動方法をエリアアクティブ駆動と称する。
【０００７】
特許文献２には、液晶表示パネルに照明するＬＥＤを、複数の分割領域ごとに少なくとも１つずつ配置する液晶表示装置が開示されている。そして、映像信号に応じて、照明が必要な領域のＬＥＤを、分割領域ごとに制御している。これにより、照明に必要が消費電力を制御している。
【０００８】
特許文献３には、液晶表示パネルが複数の領域に分割され、その分割されたそれぞれの領域を照明するように、バックライトに、複数のＬＥＤが配された液晶表示装置が開示されている。そして、特許文献２の液晶表示装置は、分割された液晶表示パネルのそれぞれの領域のピーク階調値によって、発光ダイオードの光の輝度を制御している。これにより、局所的に、輝度を制御することを可能にしている。
【０００９】
さらに、特許文献２や３のように、バックライトにＬＥＤに用いると、ＬＥＤに、Ｒ・Ｇ・Ｂの３色を組み合わせたものを用いることができる。そして、例えば、表示パネルの画像の表示領域内に赤しか表示しない場合、バックライトの赤のみを発光させるなど、表示パネルの表示領域内のＲＧＢの構成によって、バックライトのＲＧＢの発光輝度もそれぞれ変えることもできる。このように、ＬＥＤを各色毎に独立に駆動制御することで、消費電力の低減共に、高色域再現が可能となる。
【先行技術文献】
【特許文献】
【００１０】
【特許文献１】特開昭６３-２６１３２７号公報（１９８８年１０月２８日公開）
【特許文献２】特開２００１-１４２４０９号公報（２００１年５月２５日公開）
【特許文献３】特開２００５-３３８８５７号公報（２００５年１２月８日公開）
【特許文献４】特開２００６‐３０４１４９号公報（２００６年１１月２日公開）
【特許文献５】特開２００７‐２２８２４０号公報（２００７年９月６日公開）
【特許文献６】特開２００８‐９９１７０号公報（２００８年４月２４日公開）
【特許文献７】特願２００８‐２３９９２４号
【発明の概要】
【発明が解決しようとする課題】
【００１１】
しかしながら、特許文献１では、バックライトの輝度を制御するものではないので、消費電力を低減することができない。
【００１２】
特許文献２、３では、バックライトの駆動を制御するので、消費電力低減することができる。しかし、上述したようなバックライトの駆動を制御する方法は、以下のような課題が生じる。
【００１３】
図１２は、複数の表示エリアに分割された表示画像の様子を表す図である。
【００１４】
図１３（ａ）は、図１２の表示エリアａを表示するＬＤＣパネルの開口率と、表示エリアａを照明する各ＲＧＢ−ＬＥＤの発光量の様子を表し、（ｂ）は、図１２の表示エリアｂを表示するＬＤＣパネルの開口率と、表示エリアｂを照明する各ＲＧＢ−ＬＥＤの発光量の様子を表す概略図である。図１４（ａ）は、図１３（ａ）のＬＣＤパネルの電極間クロストークの影響を表し、図１４（ｂ）は、図１３（ｂ）のＬＣＤパネルの電極間クロストークの影響を表している。
【００１５】
図１２に示すように、背景画像１２０が表示エリアａ，ｂに表示されている。背景画像１２０の階調は、表示エリアａ，表示エリアｂともにＲ，Ｇ，Ｂ＝５０，３０，３０とする。また、表示エリアｂ内には、白色の円画像１２１が表示されている。
【００１６】
図１３（ａ）では、上段に表示エリアａの背景画像１２０を表示する画素ａＲ・ａＧ・aＢ及びそれぞれの開口率（液晶の透過率）を示し、下段には表示エリアａを照明するＲ−ＬＥＤ・Ｇ−ＬＥＤ・Ｂ−ＬＥＤ及びそれぞれの発光量を示している。また、図１３（ｂ）では、上段に表示エリアｂの背景画像１２０を表示する画素ｂＲ・ｂＧ・ｂＢ及びそれぞれの開口率を示し、下段には表示エリアｂを照明するＲ−ＬＥＤ・Ｇ−ＬＥＤ・Ｂ−ＬＥＤ及びそれぞれの発光量を示している。
【００１７】
画素ａＲ・ｂＲは、赤色の色フィルタが配された画素である。画素ａＧ・ｂＧは、緑色の色フィルタが配された画素である。画素ａＢ・ｂＢは、青色の色フィルタが配された画素である。
【００１８】
図１２の背景画像１２０は、表示エリアａ内と表示エリアｂ内とでは同じ色である。しかし、表示エリアｂ内には白色の円画像１２１を表示するので、表示エリアｂ内の各ＬＥＤの発光量は、エリアＡ内の各ＬＥＤの発光量と比較して大きくなる。このため、背景画像１２０を表示する画素の開口率は、表示エリアａと表示エリアｂとでは異なることになる。
【００１９】
図１３（ａ）に示すように、表示エリアａでは、ＬＣＤパネルの各画素ａＲ・ａＧ・ａＢの開口率は１００，１００，１００であり、Ｒ−ＬＥＤ・Ｇ−ＬＥＤ・Ｂ−ＬＥＤの発光量は、５０，３０，３０とする。そして、図１３（ｂ）に示すように、表示エリアｂでは、ＬＣＤパネルの各画素ｂＲ・ｂＧ・ｂＢの開口率は５０，３０，３０であり、Ｒ−ＬＥＤ・Ｇ−ＬＥＤ・Ｂ−ＬＥＤの発光率は、１００，１００，１００とする。なお、ＬＣＤパネルの画素の開口率の上限を１００とする。
【００２０】
しかし、画素の開口率が異なると、電極間クロストークなどにより、実質的には隣接する画素間で開口率が異なってくる。
【００２１】
一例として、隣接する画素間で、電極間クロストークにより、開口率の１０％の影響を受ける（すなわち１０％開口率が上昇する）場合について説明する。
【００２２】
図１４（ａ）に示すように、表示エリアａでは、ＬＣＤパネルの各画素ａＲ・ａＧの開口率が大きいので隣接する画素間で、電極間クロストークによる影響は大きい。しかし、画素ａＧは開口率の上限１００であるので、電極間クロストークによる画素ａＲからの影響を１０％受けたとしても開口率の上昇はない。一方、図１４（ｂ）に示すように、表示エリアｂでは、ＬＣＤパネルの各画素ｂＲ・ｂＧの開口率が小さいので、隣接する画素間で電極間クロストークの影響は小さい。しかし、表示エリアｂの画素ｂＧは、画素ａＲの影響により開口率が３５となり、開口率が上昇する。このように、表示エリアａと表示エリアｂとでは、隣接する画素間での開口率が上昇する割合が異なる。
【００２３】
このように、表示エリアａと、表示エリアｂとでは、同じ階調の背景画像１２０を含んでいるが、それぞれの領域でのＲ−ＬＥＤ・Ｇ−ＬＥＤ・Ｂ−ＬＥＤの発光率が異なるので、それぞれの領域での画素の開口率が異なり、これにより、実際に表示されるそれぞれの領域内の背景画像１２０の色成分は異なることになる。
【００２４】
このため、表示エリアｂの白色の円画像１２１が表示される前に、最適な色補正が行われていた場合、表示エリアｂに白色の円画像１２１が表示されると、表示エリアｂは、最適な色補正の値から外れることになる。
【００２５】
また、これは、各Ｒ−ＬＥＤ・Ｇ−ＬＥＤ・Ｂ−ＬＥＤに替えて、白色（Ｗ）ＬＥＤを用いた場合でも同様である。
【００２６】
図１５（ａ）は、図１２の表示エリアａを表示するＬＤＣパネルの開口率と、表示エリアａを照明するＷ−ＬＥＤの発光量の様子を表し、（ｂ）は、図１２の表示エリアｂを表示するＬＤＣパネルの開口率と、表示エリアｂを照明するＷ−ＬＥＤの発光量の様子を表す概略図である。図１６（ａ）は、図１５（ａ）のＬＣＤパネルの電極間クロストークの影響を表し、図１６（ｂ）は、図１５（ｂ）のＬＣＤパネルの電極間クロストークの影響を表している。
【００２７】
図１５（ａ）に示すように、表示エリアａでは、ＬＣＤパネルの各画素ａＲ・ａＧ・ａＢの開口率は１００，６０，６０であり、Ｗ−ＬＥＤの発光量は５０である。そして、図１５（ｂ）に示すように、表示エリアｂでは、ＬＣＤパネルの各画素ｂＲ・ｂＧ・ｂＢの開口率は５０，３０，３０であり、Ｗ−ＬＥＤの発光率は１００である。
【００２８】
同様に、隣接する画素間で、電極間クロストークにより、開口率の１０％（＋１０）の影響を受ける場合、図１６（ａ）に示すように、表示エリアａでは、画素ａＧは、画素ａＲの開口率の１０％の影響を受け、実際は、開口率が７０％となる。また、図１６（ｂ）に示すように、表示エリアｂでは、画素ｂＧは、画素ｂＲの開口率の１０％（＋５）の影響を受け、実際は、開口率が３５％となる。
【００２９】
このように、Ｗ‐ＬＥＤを用いた場合でも、表示エリアａと表示エリアｂとでは、隣接する画素間での開口率が上昇する割合が異なる。
【００３０】
さらに、バックライトをアクティブ駆動した場合でも同様である。例えば、図１２の表示エリアａを表示画面の全体に表示される１番目のフレーム画像、表示エリアｂを次の２番目のフレーム画像と考えた場合、１番目のフレーム画像と、２番目のフレーム画像とでは、同じ階調の背景画像１２０を表示する場合でも、２番目のフレーム画像では、白色の円画像１２１を表示するのでバックライトの発光率が異なることになり、ＬＥＤの各画素の開口率が異なることになる。このため、１番目のフレーム画像と、２番目のフレーム画像とでは、ＬＣＤの各隣接画素間で及ぼされる開口率の上昇の影響が異なるので、１番目のフレーム画像のとき、最適な色補正が行われていた場合、２番目のフレーム画像では、最適な色補正の値からずれることになる。
【００３１】
このように、アクティブ駆動、エリアアクティブ駆動を行うバックライトでは、バックライトの発光率を変更する前後では、実際は、表示される画像の色合いが異なることになる。
【００３２】
本発明は、上記の問題点に鑑みてなされたものであり、その目的は、光源の駆動を制御し、かつ、表示する画像の色合いの変化を防止することにある。
【課題を解決するための手段】
【００３３】
上記の課題を解決するために、本発明の表示装置は、画像を表示可能な表示パネルと、当該表示パネルに光を照明する光源とを備え、上記光源は上記表示パネルに表示する画像の画像信号に対応して、上記光源の発光率を変化させる表示装置であって、上記画像信号の色補正の補正値を記憶する記憶部と、上記画像信号に対応して、上記光源の発光率を変化させる発光率変化手段と、上記発光率変化手段が上記光源の発光率を変化させたことを検知する検知手段と、上記検知手段が上記光源の発光率の変化を検知すると、上記発光率変化手段が変化させた上記光源の発光率の変化量から、上記記憶部に記憶されている色補正の補正値の修正率を取得する修正率取得手段と、上記修正率取得手段が取得した上記色補正の修正率と、上記記憶部に記憶されている上記色補正の補正値とから、上記発光率変化手段が上記光源の発光率を変化させたあとの、上記画像信号の色補正の補正値を算出する色補正演算手段とを備えていることを特徴としている。
【００３４】
上記の課題を解決するために、本発明の表示方法は、画像を表示可能な表示パネルと、当該表示パネルに光を照明し、当該表示パネルに表示する画像の画像信号に対応して、発光率を変化させる光源と、を備えている表示装置に上記画像を表示させる表示方法であって、上記画像信号の色補正の補正値を記憶する記憶ステップと、上記画像信号に対応して、上記光源の発光率を変化させる発光率変化ステップと、上記発光率変化ステップで上記光源の発光率を変化されたことを検知する検知ステップと、上記検知ステップで上記光源の発光率の変化が検知されると、上記発光率変化ステップで変化された上記光源の発光率の変化量から、上記記憶ステップで記憶された色補正の補正値の修正率を取得する修正率取得ステップと、上記修正率取得ステップで取得された上記色補正の修正率と、上記記憶ステップで記憶された上記色補正の補正値とから、上記発光率変化ステップで上記光源の発光率が変化させたあとの、上記画像信号の色補正の補正値を算出する色補正演算ステップとを含むことを特徴としている。
【００３５】
上記構成により、上記表示パネルに表示させる画像の画像信号に対応して、上記発光率変化手段は、上記光源の発光率を変化させるので、上記画像信号毎に、最適な上記光源の発光率の駆動を制御することができる。そして、上記発光率変化手段が上記光源の発光率を変化させると、上記検知手段が、上記光源の発光率の変化を検知する。
【００３６】
上記修正率取得部は、上記検知手段が上記光源の発光率の変化を検知すると、上記発光率変化手段が変化させた上記光源の発光率の変化量から、上記記憶部に記憶されている色補正の補正値の修正率を取得する。
【００３７】
上記色補正演算手段は、上記修正率取得手段が取得した上記色補正の修正率と、上記記憶部に記憶されている上記色補正の補正値とから、上記発光率変化手段が上記光源の発光率を変化させたあとの、上記画像信号の色補正の補正値を算出する。
【００３８】
このため、上記表示パネルに表示させる画像の画像信号うち、上記発光率変化手段が発光率を変化させたあとの、画像信号の色補正を行うことができる。これにより、光源の駆動を制御し、かつ、表示する画像の色合いの変化を防止することができる。
【００３９】
さらに、上記光源は複数の領域に分割されており、上記記憶部は、上記複数の領域毎に、上記画像信号の色補正の補正値を記憶し、上記発光率変化手段は、上記複数の領域毎に、上記画像信号に対応して上記光源の発光率を変化させ、上記検知手段は、上記複数の領域のうち、少なくとも１つの領域における上記光源の発光率を、上記発光率変化手段が変化させたことを検知し、上記修正率取得手段は、上記記検知手段が上記光源の発光率の変化を検知すると、上記発光率変化手段が発光率を変化させた領域における上記光源の発光率の変化量から、上記記憶部に記憶されている上記領域に対応する色補正の補正値の修正率を取得し、上記色補正演算手段は、上記修正率取得手段が取得した上記色補正の修正率と、上記記憶部に記憶されている上記領域に対応する色補正の補正値とから、上記領域の上記発光率変化手段が上記光源の発光率を変化させたあとの、上記画像信号の色補正の補正値を算出することが好ましい。
【００４０】
上記構成により、上記記憶部は、上記複数の領域毎に、上記画像信号の色補正の補正値を記憶している。そして、上記発光率変化手段は、上記複数の領域毎に、上記画像信号に対応して上記光源の発光率を変化させる。また、上記複数の領域のうち、少なくとも１つの領域における上記光源の発光率を、上記発光率変化手段が変化させたことを、上記検知手段は検知する。
【００４１】
上記記検知手段が上記光源の発光率の変化を検知すると、上記修正率取得手段は、上記発光率変化手段が発光率を変化させた領域における上記光源の発光率の変化量から、上記記憶部に記憶されている上記領域に対応する色補正の補正値の修正率を取得する。
【００４２】
すると、上記色補正演算手段は、上記修正率取得手段が取得した上記色補正の修正率と、上記記憶部に記憶されている上記領域に対応する色補正の補正値とから、上記領域の上記発光率変化手段が上記光源の発光率を変化させたあとの、上記画像信号の色補正の補正値を算出する。
【００４３】
このため、上記表示パネルに表示させる画像の画像信号うち、複数の領域毎に上記発光率変化手段が発光率を変化させたときの、画像信号の色補正を、上記複数の領域毎に、行うことができる。このため、複数の領域毎に光源の駆動を制御し、かつ、複数の領域毎に、表示する画像の色合いの変化を防止することができる。
【００４４】
さらに、上記検知手段が上記光源の発光率の変化を検知すると、上記修正率取得手段は、上記発光率変化手段が変化させた上記光源の発光率の変化量から、演算により、上記記憶部に記憶されている色補正の補正値の修正率を取得することが好ましい。
【００４５】
上記構成により、上記修正率取得手段は、上記発光率変化手段が変化させた上記光源の発光率の変化量を取得することで、上記記憶部に記憶されている色補正の補正値の修正率を演算により取得することができる。このため、上記色補正演算手段は、上記修正率取得手段が演算により取得した上記修正率を用いて、上記発光率変化手段が発光率を変化させたあとの、画像信号の色補正を行うことができる。
【００４６】
さらに、上記記憶部には、上記光源の発光率の変化量と、上記色補正の補正値の修正率とが対応付けて記憶されており、上記検知手段が上記光源の発光率の変化を検知すると、上記修正率取得手段は、上記発光率変化手段が変化させた上記光源の発光率の変化量に対応付けられている上記色補正の修正率を、上記記憶部から取得することが好ましい。
【００４７】
上記構成により、上記発光率変化手段が変化させた上記光源の発光率の変化量を取得すると、当該取得した変化量に対応する上記色補正の修正率を、上記記憶部から取得する。これにより、上記色補正演算手段は、上記修正率取得手段が記憶部から取得した上記修正率を用いて、上記発光率変化手段が発光率を変化させたあとの、画像信号の色補正を行うことができる。
【００４８】
なお、上記は、コンピュータによって実現してもよい。この場合、コンピュータを上記各手段として動作させることにより上記をコンピュータにおいて実現する表示プログラム、およびその表示プログラムを記録したコンピュータ読み取り可能な記録媒体も、本発明の範疇に入る。
【発明の効果】
【００４９】
本発明の表示装置は、画像を表示可能な表示パネルと、当該表示パネルに光を照明する光源とを備え、上記光源は上記表示パネルに表示する画像の画像信号に対応して、上記光源の発光率を変化させ、上記画像信号の色補正の補正値を記憶する記憶部と、上記画像信号に対応して、上記光源の発光率を変化させる発光率変化手段と、上記発光率変化手段が上記光源の発光率を変化させたことを検知する検知手段と、上記検知手段が上記光源の発光率の変化を検知すると、上記発光率変化手段が変化させた上記光源の発光率の変化量から、上記記憶部に記憶されている色補正の補正値の修正率を取得する修正率取得手段と、上記修正率取得手段が取得した上記色補正の修正率と、上記記憶部に記憶されている上記色補正の補正値とから、上記発光率変化手段が上記光源の発光率を変化させたときの、上記画像信号の色補正の補正値を算出する色補正演算手段とを備えている。
【００５０】
本発明の表示方法は、画像を表示可能な表示パネルと、当該表示パネルに光を照明し、当該表示パネルに表示する画像の画像信号に対応して、発光率を変化させる光源とを備えている表示装置に上記画像を表示させる表示方法であって、上記画像信号の色補正の補正値を記憶する記憶ステップと、上記画像信号に対応して、上記光源の発光率を変化させる発光率変化ステップと、上記発光率変化ステップで上記光源の発光率を変化されたことを検知する検知ステップと、上記検知ステップで上記光源の発光率の変化が検知されると、上記発光率変化ステップで変化された上記光源の発光率の変化量から、上記記憶ステップで記憶された色補正の補正値の修正率を取得する修正率取得ステップと、上記修正率取得ステップで取得された上記色補正の修正率と、上記記憶ステップで記憶された上記色補正の補正値とから、上記発光率変化ステップで上記光源の発光率が変化させたあとの、上記画像信号の色補正の補正値を算出する色補正演算ステップとを含む。
【００５１】
このため光源の駆動を制御し、かつ、表示する画像の色合いの変化を防止することができるという効果を奏する。
【図面の簡単な説明】
【００５２】
【図１】本発明の第１の実施の形態かかる液晶表示装置の構成を表すブロック図である。
【図２】上記液晶表示装置のバックライトの構成を表す平面図である。
【図３】（ａ）は、ミックス率が０の場合のＬＥＤの発光率の様子を表す図であり、（ｂ）はミックス率が０．４の場合のＬＥＤの発光率の様子を表す図であり、（ｃ）はミックス率が１の場合のＬＥＤの発光率の様子を表す図である。
【図４】（ａ）は、オフセットが０の場合のＬＥＤの発光率の様子を表す図であり、（ｂ）はオフセットが３０％の場合のＬＥＤの発光率の様子を表す図である。
【図５】ＬＥＤから発光された光が、色フィルタを透過する様子を表す概略図である。
【図６】ＲＧＢの各色フィルタの透過波長と、ＲＧＢの各ＬＥＤの発光波長との関係を表す図である。
【図７】液晶表示装置の表示画面の様子を表している照明領域間での光漏れの様子を説明する図である。
【図８】本発明の第１の実施の形態に係る液晶表示装置の処理の流れを説明する図である。
【図９】本発明の液晶表示装置の処理の流れを表すフローチャートである。
【図１０】色補正パラメータの修正率を演算するための領域を表す図である。
【図１１】本発明の第２の実施の形態に係る液晶表示装置の処理の流れを説明する図である。
【図１２】複数の表示エリアに分割された表示画像の様子を表す図である。
【図１３】（ａ）は、図１２の表示エリアａを表示するＬＤＣパネルの開口率と、表示エリアａを照明する各ＲＧＢ−ＬＥＤの発光量の様子を表し、（ｂ）は、図１１の表示エリアｂを表示するＬＤＣパネルの開口率と、表示エリアｂを照明する各ＲＧＢ−ＬＥＤの発光量の様子を表す概略図である。
【図１４】（ａ）は、図１３（ａ）に示すＬＣＤパネルの電極間クロストークの影響を表し、（ｂ）は、図１３（ｂ）に示すＬＣＤパネルの電極間クロストークの影響を表している。
【図１５】（ａ）は、図１２の表示エリアａを表示するＬＤＣパネルの開口率と、表示エリアａを照明するＷ−ＬＥＤの発光量の様子を表し、（ｂ）は、図１２の表示エリアｂを表示するＬＤＣパネルの開口率と、表示エリアｂを照明するＷ−ＬＥＤの発光量の様子を表す概略図である。
【図１６】（ａ）は、図１５（ａ）に示すＬＣＤパネルの電極間クロストークの影響を表し、（ｂ）は、図１５（ｂ）に示すＬＣＤパネルの電極間クロストークの影響を表している。
【発明を実施するための形態】
【００５３】
〔実施の形態１〕
以下、本発明の第１の実施の形態について、詳細に説明する。
【００５４】
（液晶表示装置１の構成）
図１は、本実施形態にかかる液晶表示装置１の構成を表すブロック図である。
【００５５】
図１に示すように、液晶表示装置１（表示装置）は、制御部１０と、映像処理部２０と、記憶部２５と、アクティブ処理部３０と、バックライト駆動部４２と、ＬＣＤパネル駆動部４１と、バックライト５０と、ＬＣＤパネル６０（表示パネル）とを備えている。
【００５６】
制御部１０は、状態検知部１１（検知手段）と、修正率取得部１２（修正率取得手段）とを備えている。映像処理部２０は、色補正パラメータ演算部２２（色補正演算手段）と、画像データ演算部２３とを備えている色補正部２１を備えている。アクティブ処理部３０は、ＬＣＤ開口率演算部３１と、発光率演算部３２（発光率変化手段）とを備えている。
【００５７】
映像処理部２０は、入力されたＲＧＢ映像信号に対して、各種信号処理を行うものである。映像処理部２０は、外部の受信アンテナを介して、ＲＧＢ映像信号を取得すると、当該取得したＲＧＢ映像信号から、一定時間間隔で画像信号（フレーム）を抽出する。そして、映像処理部２０は、抽出した画像信号のサイズ調整を行う。また、適宜、映像処理部２０は、各種信号処理として、色空間変換処理、スケーリング処理、同期検出処理、ガンマ補正処理、ＯＳＤ（On-Screen Display）表示処理を行ったりする。そして、映像処理部２０は、調整を行った画像のサイズや、色補正部２１が演算した画像信号の階調等の各種情報をアクティブ処理部３０に出力する。
【００５８】
色補正部２１は、映像処理部２０が抽出した画像信号に対して色補正を行い、ＬＣＤパネル６０に表示させる画像の階調を演算するものである。
【００５９】
ここで、色補正とは、ＬＣＤパネル６０に表示させる画像の画質調整を行うことである。画質調整のうち、表色系を調整する方法の１つに、色の三属性を調整する方法がある。色の三属性とは、「彩度」、「輝度（明度）」、「色相」のことである。本発明では、これら、「彩度」、「輝度（明度）」、「色相」の少なくとも一つをパラメータとして補正することを色補正と称する。「彩度」、「輝度（明度）」、「色相」はお互いに独立した３要素である。代表的なものにマンセル表色系があり、物体色の標準として広く用いられている。また、これら「彩度」、「輝度（明度）」、「色相」をパラメータとして色補正を行う方法として、例えば、特許文献４〜特許文献６に開示されている方法を用いることができる。本実施の形態では、色の三属性「彩度」、「輝度（明度）」、「色相」のそれぞれの補正量（補正値）を色補正パラメータと称する。
【００６０】
色補正パラメータ演算部２２は、修正率取得部１２から、色補正の補正量（色補正パラメータ）の修正率を取得すると、記憶部２５に記憶されている色補正パラメータの初期値を取得し、当該取得した色補正パラメータの修正率と、記憶部２５から取得した色補正パラメータの初期値とから、バックライト５０に配されるＬＥＤなどの光源の発光率が変化したときの、ＬＣＤパネル６０に表示させる画像のフレームに対応する色補正パラメータを演算する。
【００６１】
画像データ演算部２３は、映像処理部２０が抽出したフレームと、色補正パラメータ演算部２２が演算した色補正パラメータとを用いて、ＬＣＤパネル６０に表示させる画像のフレームの階調を演算する。そして、画像データ演算部２３は、階調を演算したフレーム（階調データ）をアクティブ処理部３０に出力する。
【００６２】
記憶部２５は、色補正パラメータの初期値や、補正された色補正パラメータを保存する。また、発光率演算部３２が演算するミックス率（詳細は後述する）またはオフセット（詳細は後述する）と対応付けられた色補正パラメータの修正率を記憶していてもよい。
【００６３】
アクティブ処理部３０は、画像データ演算部２３によって割り当てられたフレームの階調データを取得する。そして、発光率演算部３２は、アクティブ処理部３０が取得したフレームの階調から、バックライト５０に配されるＬＥＤなどの光源の発光率を演算するものである。
【００６４】
発光率演算部３２は、バックライト５０の各光源の発光率を演算する。そして、発光率演算部３２は、演算した各光源の発光率（すなわち光源の色成分情報）を制御部１０の修正率取得部１２にフィードバックし、修正率取得部１２に色補正パラメータの修正率を取得させるものである。
【００６５】
発光率演算部３２は、アクティブ処理部３０が取得したフレームの階調データから、ミックス率（詳細は後述する）またはオフセット（詳細は後述する）を、各フレーム毎に演算する。そして、発光率演算部３２は、演算したミックス率またはオフセットと、アクティブ処理部３０が取得した階調データから、バックライト５０に配されるＬＥＤなどの光源の発光率を演算する。そして、発光率演算部３２は、演算した光源の発光率を、ＬＣＤ開口率演算部３１に出力すると共に、バックライト駆動部４２に出力し、バックライト５０の発光率を、各フレーム毎に制御させる。また、発光率演算部３２は、演算したミックス率またはオフセットを状態検知部１１及び修正率取得部１２に出力する。
【００６６】
ＬＣＤ開口率演算部３１は、アクティブ処理部３０が取得した階調データと、発光率演算部３２が演算したバックライト５０に配されるＬＥＤなどの光源の発光率とから、各フレーム毎に、ＬＣＤパネル６０の各サブピクセルの開口率を演算する。そして、ＬＣＤ開口率演算部３１は、演算したＬＣＤパネル６０の各サブピクセルの開口率をＬＣＤパネル駆動部４１に出力することで、各フレーム毎に、ＬＣＤパネル６０の各サブピクセルの開口率を制御させる。
【００６７】
ＬＣＤパネル駆動部４１は、ＬＣＤ開口率演算部３１から出力されたＬＣＤパネル６０の各サブピクセルの開口率を取得する。そして、ＬＣＤパネル駆動部４１は、ＬＣＤパネル６０の各サブピクセルの開口率から、ＬＣＤパネル６０を駆動させるためのソース、ゲート駆動データを生成し、ＬＣＤパネル６０を駆動制御する。
【００６８】
バックライト駆動部４２は、発光率演算部３２から出力されたＬＥＤの発光率を取得する。そして、バックライト駆動部４２は、取得したＬＥＤの発光率から、バックライト５０の各ＬＥＤの駆動データを生成し、各ＬＥＤを駆動させる。
【００６９】
制御部１０は、マイコンなどからなり、液晶表示装置１が備えている各部それぞれを制御することで、液晶表示装置１全体を制御するものである。
【００７０】
状態検知部１１は、発光率演算部３２がミックス率やオフセットなどを演算すると、当該演算結果に基づいて、バックライト５０の光源の発光率が変化させたか否かを検知する。
【００７１】
修正率取得部１２は、色補正パラメータの修理率を取得し、当該取得した修正率を色補正パラメータ演算部２２にフィードバックすることで、色補正パラメータ演算部２２に、最適な色補正パラメータを演算させるものである。
【００７２】
修正率取得部１２は、状態検知部１１がバックライト５０の光源の発光率の変化を検知したとき、発光率演算部３２から取得したミックス率またはオフセットから、色補正パラメータの初期値の修正率を演算し、当該演算結果を色補正パラメータ演算部２２に出力する。
【００７３】
または、修正率取得部１２は、バックライト５０の光源の発光率の変化を検知したとき、発光率演算部３２から取得したミックス率またはオフセットに対応付けれている色補正パラメータの初期値の修正率を、記憶部２５から取得し、当該取得した修正率を色補正パラメータ演算部２２に出力するようにしてもよい。
【００７４】
ＬＣＤパネル６０は、画素がマトリクス状に配されている。そして、各画素は、赤（Ｒ）、緑（Ｇ）、青（Ｂ）色光を透過する色フィルタが配されたサブピクセル（副画素）が配されている。また、ＬＣＤパネル６０は、画像の表示が可能な表示面を有する。なお、サブピクセルに配される色フィルタの色の個数は、上述した３色に限定されるものではなく、例えば、２色や４色であってもよい。
【００７５】
バックライト５０は、ＬＣＤパネル６０の背面（画像の表示面とは反対側の面）側に配される。そして、バックライト５０は、ＬＣＤパネル６０の背面側から、ＬＣＤパネル６０に光を照射するものである。
【００７６】
図２は、バックライト５０の構成を表す平面図である。
【００７７】
図２に示すように、バックライト５０は、複数のエリア５１（領域）に分割されており、それぞれのエリア５１毎に、光源として、赤（Ｒ）色光を発光するＬＥＤ５２ｒと、緑（Ｇ）色光を発光するＬＥＤ５２ｇと、青（Ｂ）色光を発光するＬＥＤ５２ｂとが配されている。各ＬＥＤ５２ｒ・５２ｇ・５２ｂのそれぞれは独立して駆動制御することができる（独立駆動と称する）。バックライト５０の各光源であるＬＥＤ５２ｒ・５２ｇ・５２ｂは、ＬＣＤパネル６０に表示させる画像のフレームの階調に対応して、発光率が変化されるものである。本実施の形態では、バックライト５０は、アクティブ駆動制御がなされるものとして説明する。
【００７８】
なお、各ＬＥＤ５２ｒ・５２ｇ・５２ｂに変えて、白（Ｗ）色光を発光するＬＥＤを配してもよい。さらに、ＬＥＤ５２ｒ・５２ｇ・５２ｂの発光率を同じにすると、色が混色されて白色光となるので、各エリア５１内のＬＥＤ５２ｒ・５２ｇ・５２ｂの発光率が同じ状態で（ＬＥＤ５２ｒ・５２ｇ・５２ｂを白色光源として）駆動（白色駆動）させてもよい。
【００７９】
なお、各ＬＥＤ５２ｒ・５２ｇ・５２ｂの発光色の個数は、上述した３色に限定されるものではなく、例えば、２色や、４色であってもよい。また、各エリア５１内に配されるＬＥＤ５２ｒ・５２ｇ・５２ｂの個数もそれぞれ１つずつに限定されるものではなく、複数個配してもよい。
【００８０】
次に、バックライト５０をアクティブ駆動させる場合、ＬＥＤ５２ｒ・５２ｇ・５２ｂの発光率の比率を変化させる方法について説明する。ＬＥＤ５２ｒ・５２ｇ・５２ｂの発光率の比率を変化させる方法としては、主に、ミックス率（発光率の変化量）を演算して、発光率を変化させる方法と、オフセット（発光率の変化量）を演算して発光率を変化させる方法とを挙げることができる。
【００８１】
なお、バックライト５０をエリアアクティブ駆動させる場合でも、同様にして、各エリア毎５１に、ＬＥＤ５２ｒ・５２ｇ・５２ｂの発光率の比率を変化させることができる。
【００８２】
ミックス率を演算してＬＥＤ５２ｒ・５２ｇ・５２ｂの発光率を変化させるか、オフセットを演算してＬＥＤ５２ｒ・５２ｇ・５２ｂの発光率を変化させるかは、表示する画像のうち、重視するパラメータによって、適宜、選択される。
【００８３】
（ミックス率）
まず、ミックス率について説明する。
【００８４】
図３（ａ）は、ミックス率が０の場合のＬＥＤの発光率の様子を表す図であり、（ｂ）はミックス率が０．４の場合のＬＥＤの発光率の様子を表す図であり、（ｃ）はミックス率が１の場合のＬＥＤの発光率の様子を表す図である。
【００８５】
ミックス率は、各ＬＥＤ５２ｒ・ＬＥＤ５２ｇ・ＬＥＤ５２ｂの発光率を変更する際の比率のことであり、発光率演算部３２で演算されるものである。
【００８６】
ミックス率は、以下の式により演算される。
ｒｍ＝（ｒ２−ｒ１）×ｍ+ｒ１
ｇｍ＝（ｇ２−ｇ１）×ｍ+ｇ１
ｂｍ＝（ｂ２−ｇ１）×ｍ+ｂ１
ｒｍ、ｇｍ、ｂｍ：ミックス率による発光率。
ｍ：ミックス率（０≦ｍ≦１）。
ｒ１、ｇ１、ｂ１：ミックス率が０のときの各ＬＥＤ５２ｒ・ＬＥＤ５２ｇ・ＬＥＤ５２ｂの発光率。
ｒ２、ｇ２、ｂ２：白色光の場合の各ＬＥＤ５２ｒ・ＬＥＤ５２ｇ・ＬＥＤ５２ｂの発光率。換言すると、ｒ１、ｇ１、ｂ１のうちの最大値。
【００８７】
図３（ａ）に示すように、ミックス率が０（ｍ＝０）の場合、ＬＥＤ５２ｒの発光率１０％、ＬＥＤ５２ｇの発光率６０％、ＬＥＤ５２ｂの発光率３０％となる。図３（ｂ）に示すように、ミックス率が０．４（ｍ＝０．４）の場合、Ｒ-ＬＥＤ５２ｒの発光率３０％、Ｇ-ＬＥＤ５２ｇの発光率６０％、Ｂ-ＬＥＤ５２ｂの発光率４２％となる。図３（ｃ）に示すように、ミックス率が１（ｍ＝１）の場合、Ｒ‐ＬＥＤ５２ｒ・Ｇ‐ＬＥＤ５２ｇ・Ｂ‐ＬＥＤ５２ｂの発光率は全て６０％となる。
【００８８】
アクティブ処理部３０の発光率演算部３２によって演算された各ＬＥＤ５２ｒ・ＬＥＤ５２ｇ・ＬＥＤ５２ｂの発光率が、フレームの各色成分に最適な発光率である場合、ミックス率は０である。換言すれば、ミックス率が０の場合、各ＬＥＤ５２ｒ・ＬＥＤ５２ｇ・ＬＥＤ５２ｂの発光率は変更されない。また、各ＬＥＤ５２ｒ・ＬＥＤ５２ｇ・ＬＥＤ５２ｂの発光率を、各ＬＥＤ５２ｒ・ＬＥＤ５２ｇ・ＬＥＤ５２ｂのうちの最大の発光率に一致させる場合、即ち、バックライトを白色光源とする場合、ミックス率は１である。
【００８９】
フレームの階調が、Ｒ成分が１０％、Ｇ成分が６０％、Ｂ成分が３０％であれば、各ＬＥＤ５２ｒ・ＬＥＤ５２ｇ・ＬＥＤ５２ｂの各発光率も、概ね、ＬＥＤ５２ｒが１０％、ＬＥＤ５２ｇが６０％、ＬＥＤ５２ｂが３０％となる。
【００９０】
ミックス率を増加させると、表示画像の色味（彩度）は急速に低下することになるが、ミックス率を最大値にしても、表示画面の面内の輝度分布を残すことができる。
【００９１】
（オフセット）
次に、オフセットについて説明する。
【００９２】
図４（ａ）は、オフセットが０の場合の各ＬＥＤ５２ｒ・ＬＥＤ５２ｇ・ＬＥＤ５２ｂの発光率の様子を表す図であり、（ｂ）はオフセットが３０％の場合の各ＬＥＤ５２ｒ・ＬＥＤ５２ｇ・ＬＥＤ５２ｂの発光率の様子を表す図である。
【００９３】
オフセットは、各ＬＥＤ５２ｒ・５２ｇ・５２ｂの発光率を変更する際に、各ＬＥＤ５２ｒ・５２ｇ・５２ｂに加えられる一定の値であり、発光率演算部３２で演算されるものである。
【００９４】
図４（ａ）に示すように、オフセットが０（ｍ＝０）の場合、Ｒ‐ＬＥＤ５２ｒの発光率１０％、Ｇ‐ＬＥＤ５２ｇの発光率６０％、Ｂ‐ＬＥＤ５２ｇの発光率３０％となる。図４（ｂ）に示すように、オフセットが３０％の場合、ＬＥＤ５２ｒの発光率４０％、ＬＥＤ５２ｇの発光率９０％、ＬＥＤ５２ｂの発光率６０％となる。
【００９５】
オフセットを増加させると、表示画像の色味（彩度）が急速に低下することはなく、ある程度、残すことができる。しかし、オフセットが最大値となると、表示画像の面内の輝度分布が小さくなり、表示画像が全体的に白くなる。
【００９６】
（カラーフィルタからの光漏れ）
ＬＥＤ５２ｒ・５２ｇ・５２ｂの発光率を個別に制御した場合（独立駆動）、色フィルタからの光漏れが発生する場合がある。この色フィルタからの光漏れに起因して、バックライト５０のアクティブ制御を行う前と、後とでは、ＬＣＤパネル６０の表示画面に表示される画像の色合いが異なる場合がある。これについて、図５〜図７を用いて説明する。
【００９７】
図５は、各ＬＥＤ５２ｒ・５２ｇ・５２ｂから発光された光が、色フィルタを透過する様子を表す概略図である。図６は、ＲＧＢの各色フィルタの透過波長と、ＲＧＢの各ＬＥＤの発光波長との関係を表す図である。図７は、液晶表示装置の表示画面の様子を表している照明領域間での光漏れの様子を説明する図である。なお、図６では、破線でＲＧＢ色フィルタの各透過波長を表し、実線でＲＧＢのＬＥＤの各発光波長を表している。
【００９８】
ＬＣＤパネル６０に設けられているＲＧＢの各色フィルタ６１ｒ・６１ｇ・６１ｂの透過波長は、バックライト５０の各ＬＥＤ５２ｒ・５２ｇ・５２ｂのそれぞれの発光波長と合致し、他の色のＬＥＤから発光された光は漏れがないことが理想である。つまり、赤色光を透過する色フィルタ６１ｒは、ＬＥＤ５２ｒ・５２ｇ・５２ｂのうちＬＥＤ５２ｒの光のみを透過し、緑色光を透過する色フィルタ６１ｇは、ＬＥＤ５２ｒ・５２ｇ・５２ｂのうちＬＥＤ５２ｇの光のみを透過し、青色光を透過する色フィルタ６１ｂは、ＬＥＤ５２ｒ・５２ｇ・５２ｂのうちＬＥＤ５２ｂの光のみを透過することが理想である。
【００９９】
しかし、実際には、図５に示すように、例えば、色フィルタ６１ｂは、ＬＥＤ５２ｂの青色光の光を透過すると共に、ＬＥＤ５２ｇの緑色の光の一部も透過する。
【０１００】
これは、図６に示すように、例えば、色フィルタ６１ｂ（Ｂ‐ＣＦ）の透過波長は、ＬＥＤ５２ｇ（Ｇ‐ＬＥＤ）の発光波長と重なる部分が存在するためである（図６に示す領域ｃ）。このため、色フィルタ６１ｂ（Ｂ‐ＣＦ）にＬＥＤ５２ｂ（Ｂ‐ＬＥＤ）の光のみを透過させたい場合であっても、ＬＥＤ５２ｇ（Ｇ‐ＬＥＤ）の光が色フィルタ６１ｂ（Ｂ‐ＣＦ）を透過する。このため、余分な光漏れが発生する。
【０１０１】
このような光漏れの影響について、図７を用いて説明する。
【０１０２】
図７は、ＬＣＤパネル６０の表示画面に表示される画像を表す図である。
【０１０３】
図７に示すように、ＬＣＤパネル６０の表示画面に、青色の背景画像７０に緑色の矩形画像７１が表示されている。そして、ＬＣＤパネル６０の表示画面は、バックライト５０の各エリア５１に対応する表示エリアａ、表示エリアｂを含む複数の表示エリアに分割されている。また、矩形画像７１は、表示エリアａ内であって、表示エリアａの面積より小さく表示されている。
【０１０４】
表示エリアｂでは、青色の背景画像７０のみが表示されるので、表示エリアｂではＬＥＤ５２ｂのみが発光される。このため、表示エリアｂでは、他の色のＬＥＤ（ＬＥＤ５２ｒ・５２ｇ）が発光されることによる光漏れはなく、純度が高い青色の画像を表示することができる。
【０１０５】
一方、表示エリアａでは、青色の背景画像７０と、緑色の矩形画像７１とが表示されるので、ＬＥＤ５２ｂと、ＬＥＤ５２ｇとが発光される。上述したように、ＬＥＤ５２ｇから発光された一部の光は、色フィルタ６１ｂを透過するので、表示エリアａ内に表示されている青色の背景画像７０には光漏れが発生する。この光漏れが大きいと、表示エリアａ内の矩形画像７１の周囲の輪郭部７２は、青色の輝度が高くなり、ぼんやりと光の輪が見える現象（ハロー現象）が発生する。このように、各ＬＥＤ５２ｒ・５２ｇ・５２ｂを独立駆動制御を行った場合、ハロー現象により、画像の品位を損ねる。
【０１０６】
各ＬＥＤ５２ｒ・５２ｇ・５２ｂの発光率が同一で固定の場合、または白色ＬＥＤを用いた場合は、色フィルタ６１ｂに対して、ＬＥＤ５２ｂの光の透過量と、ＬＥＤ５２ｇの光の透過量との比は常に一定であるため、設計時に色フィルタ６１ｂに対するＬＥＤ５２ｇの光の漏れ量を織り込むことで、光漏れの発生を抑え、ハロー現象を抑えることができる。
【０１０７】
また、特許文献７に記載されているように、ミックス率を算出し、算出したミックス率により、各ＬＥＤ５２ｒ・５２ｇ・５２ｂの発光率を近づける、すなわちＬＥＤ５２ｒ・５２ｇ・５２ｂを白色光源に近づけることで、ハロー現象を低減することができる。
【０１０８】
例えば、図７の場合で、ミックス率を３３％に決定する。
【０１０９】
また、ＬＥＤ５２ｇからの色フィルタ６１ｂに対する光漏れ量をＬＥＤ５２ｇの発光率の１０％とし、光漏れの許容値は、ＬＥＤ５２ｂの発光率に対して２０％未満とする。なお、光漏れの許容値とは、画像の品位を損なうおそれのある光漏れの限界値である。
【０１１０】
そして、変更前の表示エリアａの各ＬＥＤ５２ｒ・５２ｇ・５２ｂの発光率を０％、８０％、２０％とし、ＬＣＤパネル６０の開口率を１００％とする。
【０１１１】
表示エリアａのＬＥＤ５２ｇの発光率が８０％なので、光漏れ量は８％となる。また、ＬＥＤ５２ｂの発光率は２０％なので、光漏れの許容値は４％となる。このように、発光率の変更前は、ＬＥＤ５２ｇの光漏れ量は、光漏れの許容値を超えている。
【０１１２】
一方、ミックス率による発光率の変更後は、表示エリアａの各ＬＥＤ５２ｒ・５２ｇ・５２ｂの発光率は２６％、８０％、４０％となる。表示エリアａのＬＥＤ５２ｇの発光率が８０％なので、光漏れ量は８％となる。また、ＬＥＤ５２ｂの発光率は４０％なので、光漏れの許容量は８％となる。このように、発光率の変更後は、ＬＥＤ５２ｇの光漏れ量を、光漏れの許容値以下とすることができる。
【０１１３】
つまり、ミックス率を算出し、算出したミックス率により、各ＬＥＤ５２ｒ・５２ｇ・５２ｂの発光率の比率を変更し、各ＬＥＤ５２ｒ・５２ｇ・５２ｂを白色光に遷移させる（近づける）ことで、ハロー現象を低減することができる。
【０１１４】
なお、上述した説明では、表示エリアａのみをエリアアクティブ駆動することで、表示エリアａに含まれる各ＬＥＤ５２ｒ・５２ｇ・５２ｂの発光率を変更してもよいし、表示エリア全体に含まれるＬＥＤ５２ｒ・５２ｇ・５２ｂ全体をアクティブ駆動することで、ＬＥＤ５２ｒ・５２ｇ・５２ｂの発光率を変更してもよい。
【０１１５】
（色補正パラメータの補正の説明）
上述したように、例えばハロー現象を低減するために、ミックス率によりＬＥＤ５２ｒ・５２ｇ・５２ｂを白色光に遷移させる前後や、オフセットによりＬＥＤ５２ｒ・５２ｇ・５２ｂの発光率を底上げする前後では、光漏れ量が変化するので、フレーム間で色補正パラメータの最適な範囲からのズレが生じる。このようなズレが生じた場合の色補正パラメータの修正方法について説明する。このようにズレが生じる原因としては、上述したように、色域に変化が生じた場合と、カラーフィルタ（サブピクセル）からの光漏れが原因となる場合とがある。これらについて、以下に説明する。
【０１１６】
（色域に変化が生じた場合の処理）
図８を用いて、液晶表示装置１の処理の流れについて説明する。
【０１１７】
図８は、液晶表示装置１の処理の流れを説明する図である。
【０１１８】
バックライト５０の各ＬＥＤ５２ｒ・５２ｇ・５２ｂが独立駆動のアクティブ駆動をしている場合、フレーム内の色域は拡大し、ＬＣＤパネル６０の画面に表示される画像は彩度が高く表示される。そして、バックライト５０が独立駆動の場合に、例えば初期設定としてユーザ等によって、彩度を下げる色補正パラメータ（色補正の補正値）が、色補正パラメータの初期値として設定され、記憶部２５に記憶される（図８の（１））。なお、この初期値は、工場出荷時などに、予め設定されて記憶部２５に記憶されていてもよい。
【０１１９】
次に、ハロー現象を低減する必要が生じた場合など、発光率演算部３２によって、ミックス率やオフセットが演算され、各ＬＥＤ５２ｒ・５２ｇ・５２ｂの発光率にミックス率やオフセットが加わり、各ＬＥＤ５２ｒ・５２ｇ・５２ｂの発光率の比率が変化（白色に遷移）する。つまり、バックライト５０の発光状態が遷移する（図８の（２））。
【０１２０】
バックライト５０の発光状態が遷移すると、状態検知部１１は、バックライト５０の発光状態の遷移を検知する（図８の（３））。
【０１２１】
このように、各ＬＥＤ５２ｒ・５２ｇ・５２ｂの発光率の比率が小さくなると、１フレーム内の色域は縮小する。このため、各ＬＥＤ５２ｒ・５２ｇ・５２ｂが白色に遷移する前に行った、彩度を下げるために設定した色補正パラメータは、補正量が過剰となり、ＬＣＤパネル６０の画面に表示される画像は彩度が低く表示されることになる。
【０１２２】
つまり、各ＬＥＤ５２ｒ・５２ｇ・５２ｂの発光率の比率が変化すると、フレーム間で階調データが変化する。このため、各ＬＥＤ５２ｒ・５２ｇ・５２ｂの発光率の比率が変化しても、彩度などの色補正パラメータを一定にしていると、色補正パラメータが、最適な補正量の範囲から外れることになる。
【０１２３】
ここで、色補正パラメータの最適な補正量の範囲や、設定されている補正量が過剰であるか否かや、補正量が過剰である度合いなどは、液晶表示装置１が適用される機種などによってさまざまであり、最適な補正量の範囲を予め確認しておき、その閾値などを予め設定しておく。
【０１２４】
なお、ミックス率やオフセットに、予め所定の範囲を設けておき、状態検知部１１が取得したミックス率やオフセットが、予め設けられた所定の範囲を越えているときに、状態検知部１１は、バックライト５０の発光状態が遷移したことを検知するようにしてもよい（図８の（３））。
【０１２５】
状態検知部１１がバックライト５０の発光状態の遷移を検知すると、次に、修正率取得部１２は、発光率演算部３２から取得したミックス率またはオフセットから、色補正パラメータの修正率を算出する（図８の（４））。
【０１２６】
修正率取得部１２が取得する色補正パラメータの修正率は、例えば、ミックス率から、下記の数式（１）のように算出することができる。
【０１２７】
色補正パラメータの修正率＝１００〔％〕‐（Ｘ‐ミックス率〔％〕）        （１）
Ｘは、任意の定数である。Ｘの値は、液晶表示装置１が適用される機種によって、各色補正パラメータ（輝度、彩度、色相）ごとに、さまざまに設定される。
【０１２８】
例えば、彩度の色補正パラメータの修正率を演算する場合、Ｘ＝５０と設定されているとすると、ミックス率が４０％（０．４）に設定されると、彩度の修正率は９０％と計算される。
【０１２９】
修正率取得部１２が、ミックス率ではなく、オフセットを取得した場合は、上記（１）式のミックス率に換えて、取得したオフセット用いて演算することにより、色補正パラメータの修正率を得ることができる。
【０１３０】
図８の（４）の例では、修正率取得部１２は、各色補正パラメータの修正率として「輝度：１２０％」、「彩度：９０％」、「色相：８５％」をそれぞれ演算により算出している。なお、ここでは、ミックス率が４０％のときの輝度を演算するときのＸの値を２０、色相を演算するときのＸの値を５５としている。
【０１３１】
また、この色補正パラメータの修正率の取得方法としては、上述したように、上記（１）式を用いて演算してもよいし、予め、ミックス率またはオフセットに対応する各色補正パラメータの修正率を決めておき（例えばミックス率が３０％の場合は、修正率を５０％とするなど）、ＬＵＴ（Ｌｏｏｋ  Ｕｐ  Ｔａｂｌｅ）として記憶部２５に記憶しておき、ミックス率またはオフセットに対応する各色補正パラメータの修正率を記憶部２５から取得するようにしてもよい。
【０１３２】
このような、色補正パラメータの修正率の取得方法は、液晶表示装置１が適用される電子機器によって、最適な方法が選択されればよい。また、上記ＬＵＴは、バックライト５０の発光率を遷移させた、色補正パラメータの過不足の判断も含めて、予め、ミックス率またはオフセットに対応する補正量を決めておくことが好ましい。
【０１３３】
そして、色補正パラメータ演算部２２は、修正率取得部１２が取得した色補正パラメータの修正率を取得すると、記憶部２５に記憶されている色補正パラメータの初期値を取得し、色補正パラメータを再計算することで、色補正パラメータを補正する（図８の（５））。
【０１３４】
例えば、色補正パラメータ演算部２２は、修正率取得部１２から「彩度：９０％」との色補正パラメータの修正率を取得すると、記憶部２５に記憶されている彩度の初期値を取得する。
【０１３５】
そして、色補正パラメータ演算部２２は、「色補正パラメータ＝初期値×修正率」を演算することで、色補正パラメータを演算する。
【０１３６】
色補正パラメータ演算部２２は、記憶部２５から取得した彩度の初期値に対して９０％の値を、修正した彩度の補正量として記憶部２５に記憶すると共に、画像データ演算部２３に出力する。このようにして、彩度の色補正パラメータが補正される。同様にして、輝度、色相についても色補正パラメータが補正される。
【０１３７】
これにより、各ＬＥＤ５２ｒ・５２ｇ・５２ｂの発光率の駆動を制御し、かつ、ＬＣＤパネル６０に表示する画像の色合いが変化することを防止することができる。
【０１３８】
これらの色補正パラメータの補正は、バックライト駆動部４２がバックライト５０を駆動させる信号と同期させて修正してもよいし、バックライト駆動部４２がバックライト５０を駆動させる信号よりゆっくり変化するようにしてもよい。
【０１３９】
また、色補正パラメータを修正するための修正率を取得する領域は、表示画面のうち、一部であってもよい。
【０１４０】
図１０は、ＬＣＤパネル６０に表示するための画像の色補正パラメータの修正率を演算するための領域を表す図である。
【０１４１】
例えば、状態検知部１１が、ＬＥＤ５２ｒ・５２ｇ・５２ｂの発光率の状態の変化を検知する領域を、図１０に示すように、ＬＣＤパネル６０の画像の表示面中の一部の表示エリアｄとする。すると、状態検知部１１は、表示エリアｄ内に含まれるＬＥＤ５２ｒ・５２ｇ・５２ｂの発光率が変化したときのみ、発光率の変化を検知する。
【０１４２】
そして、修正率取得部１２は、表示画面に表示する画像のうち、表示エリアｄに含まれる画像におけるフレームの色補正パラメータの修正率を取得する。そして、色補正パラメータ演算部２２は、表示エリアｄに含まれる画像におけるフレームの色補正パラメータの修正率から、画面全体のフレームの色補正パラメータの補正を行う。
【０１４３】
このように、色補正パラメータの補正を行うための、修正率を取得するエリアを絞ることで、リソースを節約することができるので、回路への負荷を軽減することができる。
【０１４４】
また、色補正を行う対象色を限定してもよい。例えば、色補正パラメータ演算部２２は、修正率取得部１２から色補正パラメータの修正率を取得した場合、赤色、緑色、肌色のうち、肌色に対する色補正パラメータのみを補正してもよい。このように、色補正パラメータを補正する色を絞ることで、リソースを節約することができるので、回路への負荷軽減を行うことができる。
【０１４５】
また、例えば、色補正パラメータ演算部２２は、赤色、緑色、肌色のうち、肌色に対する色補正パラメータの補正量を大きくし、赤色は補正量を小さくするなど、色補正を行う対象色によって、色補正パラメータの修正率を変えてもよい。色補正パラメータ演算部２２は、必ずしも修正率取得部１２から出力された修正率通りに、色補正パラメータの補正を行う必要は無い。
【０１４６】
このように、色補正パラメータの修正率を色ごとに変更することで、極端に色補正の補正量が変化することを防止することができる。このため、画像を観察しているユーザに対して、色補正による違和感を与えることを防止することができる。
【０１４７】
（サブピクセルからの影響が変化する場合）
図１２〜図１６（ａ）（ｂ）を用いて説明したように、サブピクセルからの影響が変化することにより、色補正パラメータの修正の必要性が生じる場合について図８を用いて説明する。
【０１４８】
バックライト５０の各ＬＥＤ５２ｒ・５２ｇ・５２ｂが独立駆動のアクティブ駆動をしている場合に、例えば初期設定としてユーザ等によって、彩度を下げる色補正パラメータが、色補正パラメータの初期値として設定され、記憶部２５に記憶される（図８の（１））。
【０１４９】
次に、ハロー現象を低減する必要が生じた場合など、発光率演算部３２によって、ミックス率やオフセットが演算され、各ＬＥＤ５２ｒ・５２ｇ・５２ｂの発光率にミックス率やオフセットが加わり、各ＬＥＤ５２ｒ・５２ｇ・５２ｂの発光率の比率が変化（白色に遷移）する。つまり、バックライト５０の発光状態が遷移する（図８の（２））。
【０１５０】
バックライト５０の発光状態が遷移すると、状態検知部１１は、バックライト５０の発光状態の遷移を検知する（図８の（３））。
【０１５１】
このように、各ＬＥＤ５２ｒ・５２ｇ・５２ｂの発光率の比率が小さくなると、図１２で示したように、同じ階調の背景画像１２０であっても、表示エリアａと、表示エリアｂとでは、表示エリアｂでは白色の円画像１２１を表示するため、表示エリアａと、表示エリアｂとでは、ＬＣＤパネル６０の開口率が異なる。
【０１５２】
このように、表示エリアａと表示エリアｂとでは、ＬＣＤパネル６０の開口率が異なるため、隣接サブピクセル間の光漏れの影響が変化することになる。このため、各ＬＥＤ５２ｒ・５２ｇ・５２ｂの発光率の比率が変化しても、彩度などの色補正パラメータを一定にしていると、最適な補正量の範囲から外れることになる。
【０１５３】
状態検知部１１がバックライト５０の発光状態の遷移を検知すると、次に、修正率取得部１２は、発光率演算部３２から取得したミックス率やオフセットから、上記（１）式を用いて、色補正パラメータの修正率を算出する（図８の（４））。
【０１５４】
なお、この色補正パラメータの修正率の取得方法としては、上述したように、上記（１）式を用いて演算する場合に換えて、予め、決められたミックス率またはオフセットに対応する各色補正パラメータの修正率をＬＵＴとして記憶部２５に記憶しておき、ミックス率またはオフセットに対応する各色補正パラメータの修正率を記憶部２５から取得するようにしてもよい。
【０１５５】
そして、色補正パラメータ演算部２２は、修正率取得部１２が取得した色補正パラメータの修正率を取得すると、記憶部２５に記憶されている色補正パラメータの初期値を取得し、「色補正パラメータ＝初期値×修正率」を演算することで、色補正パラメータを演算する。
【０１５６】
そして、色補正パラメータ演算部２２は、演算した色補正パラメータを、記憶部２５に記憶すると共に、画像データ演算部２３に出力する。このようにして、記憶部２５に記憶されていた色補正パラメータが補正される（図８の（５））。これにより、ＬＣＤパネル６０の隣接サブピクセル間の光漏れを相殺するように、色補正パラメータが補正される。
【０１５７】
（フローチャート）
図９を用いて、液晶表示装置１の処理の流れについて説明する。図９は、液晶表示装置１の処理の流れを表すフローチャートである。
【０１５８】
まず、色補正パラメータの初期値が設定され（ステップＳ１１）、設定された色補正パラメータの初期値が記憶部２５に記憶される（記憶ステップ）。この色補正パラメータの初期値は、ユーザによって適宜設定されてもよいし、工場出荷時に予め設定されていてもよい。
【０１５９】
次に、発光率演算部３２が、ＬＣＤパネル６０に表示させる画像のフレーム（画像信号）に対応して、ミックス率、またはオフセットなどを演算する。そして、発光率演算部３２は、演算して得られたミックス率またはオフセットを、ＬＣＤ開口率演算部３１、状態検知部１１、修正率取得部１２に出力する共に、バックライト駆動部４２にも出力し、バックライト駆動部４２にバックライト５０の発光率を変化させる（発光率変化ステップ）。これにより、発光率演算部３２は、バックライト駆動部４２に対して、バックライト５０の各ＬＥＤ５２ｒ・５２ｇ・５２ｂの発光率を駆動制御させることで、バックライト５０を白色に遷移させる（ステップＳ１２）。
【０１６０】
次に、状態検知部１１は、発光率演算部３２から出力されたミックス率またはオフセットを取得すると、バックライト５０の発光状態が白色に遷移したことを検知する。つまり、状態検知部１１は、各ＬＥＤ５２ｒ・５２ｇ・５２ｂの発光率が変化したことを検知する（検知ステップ）（ステップＳ１３のＹＥＳ）。
【０１６１】
ここで、ミックス率またはオフセットの値の範囲を予め決めておき、状態検知部１１は、発光率演算部３２から取得したミックス率またはオフセットの値が、予め決められた範囲を越えている場合にバックライト５０の発光状態が白色に遷移したことを検知し（ステップＳ１３のＹＥＳ）、発光率演算部３２から取得したミックス率またはオフセットの値が、予め決められた範囲を越えていない場合には、バックライト５０の発光状態が白色に遷移したことを検知せずに（ステップＳ１３のＮＯ）、ステップＳ１２の処理に戻ってもよい。
【０１６２】
ステップＳ１３のＹＥＳの処理で、状態検知部１１が、バックライト５０の発光状態が白色に遷移したことを検知すると、状態検知部１１は、当該検知した旨の通知を修正率取得部１２に出力する。
【０１６３】
修正率取得部１２は、発光状態の遷移を検知した旨の通知を状態検知部１１から取得すると、発光率演算部３２から取得したミックス率またはオフセットから、記憶部２５に初期値として記憶されている色補正パラメータの修正率を取得する（修正率取得ステップ）（ステップＳ１４）。
【０１６４】
そして、修正率取得部１２は、取得した色補正パラメータの修正率を、色補正パラメータ演算部２２に出力する。
【０１６５】
色補正パラメータ演算部２２は、修正率取得部１２から、色補正パラメータの修正率を取得すると、記憶部２５に記憶されている色補正パラメータを取得し、当該取得した色補正パラメータの修正率と、記憶部２５から取得した色補正パラメータとから、各ＬＥＤ５２ｒ・５２ｇ・５２ｂの発光率が変化させたときの、ＬＣＤパネル６０に表示させる画像のフレームに対応する色補正パラメータを演算する（色補正演算ステップ）。そして、色補正パラメータ演算部２２は、演算した色補正パラメータを、記憶部２５に上書きして記憶すると共に、画像データ演算部２３に出力することで、色補正パラメータを補正させる（ステップＳ１５）。
【０１６６】
画像データ演算部２３は、色補正パラメータ演算部２２から取得した色補正パラメータから、ＬＣＤパネル６０に表示する画像のフレームの階調を設定し、階調データをアクティブ処理部３０に出力する。そして、アクティブ処理部３０は、画像データ演算部２３から階調データを取得すると、発光率演算部３２は、階調データからバックライト５０の各ＬＥＤ５２ｒ・５２ｇ・５２ｂの発光率を演算する。そして、演算した結果、ミックス率またはオフセットの演算が必要な場合は、上述したステップＳ１２の処理に戻る。
【０１６７】
ミックス率またはオフセットの演算が必要な場合は、発光率演算部３２は、演算結果をＬＣＤ開口率演算部３１に出力すると共に、バックライト駆動部４２にも出力し、バックライト駆動部４２に対して、ＬＥＤ５２ｒ・５２ｇ・５２ｂの発光を制御させる。また、ＬＣＤ開口率演算部３１は、発光率演算部３２から取得したＬＥＤ５２ｒ・５２ｇ・５２ｂの発光率の演算結果と、アクティブ処理部３０が取得した階調データとから、ＬＣＤパネル６０の各サブピクセルの開口率を演算する。そして、ＬＣＤ開口率演算部３１は、演算した結果をＬＣＤパネル駆動部４１に出力することで、ＬＣＤパネル駆動部４１に対して、ＬＣＤパネル６０の各サブピクセルの開口率を制御させる。これにより、ＬＣＤパネル６０の表示面に、画像が表示される。
【０１６８】
〔実施の形態２〕
本発明の表示装置に関する他の実施形態について、図１１、図１２に基づいて説明すれば、以下のとおりである。図１１は、第２の実施の形態に係る液晶表示装置１の処理の流れを説明する図である。
【０１６９】
なお、説明の便宜上、前記実施の形態１にて説明した図面と同じ機能を有する部材については、同じ符号を付記し、その説明を省略する。
【０１７０】
本実施の形態に係る液晶表示装置１は、バックライト５０がエリアアクティブ駆動制御される点で、上述した実施の形態１に記載の液晶表示装置１と異なる。つまり、本実施の形態にかかるバックライト５０の各光源であるＬＥＤ５２ｒ・５２ｇ・５２ｂは、複数の各エリア５１毎に、ＬＣＤパネル６０に表示させる画像のフレームの階調に対応して、発光率が変化されるものである。
【０１７１】
（色域に変化が生じた場合の処理）
バックライト５０の各エリア５１毎に、各ＬＥＤ５２ｒ・５２ｇ・５２ｂが独立駆動のエリアアクティブ駆動をしている場合、フレーム内の色域は拡大し、ＬＣＤパネル６０の画面に表示される画像は彩度が高く表示される。そして、各ＬＥＤ５２ｒ・５２ｇ・５２ｂが独立駆動であって、エリアアクティブ駆動の場合に、例えば初期設定としてユーザ等によって、彩度を下げる色補正パラメータが、色補正パラメータの初期値として設定され、記憶部２５に記憶される（図１１の（１））。ここで、記憶部２５には、複数のエリア５１毎に、色補正パラメータの初期値が記憶される。
【０１７２】
次に、複数のエリア５１のうち、ハロー現象を低減する必要が生じた場合など、発光率演算部３２によって、エリア５１毎に、ミックス率やオフセットが演算される。そして、エリア５１毎に、ＬＥＤ５２ｒ・５２ｇ・５２ｂの発光率にミックス率やオフセットが加わる。これにより、各エリア５１毎に、ＬＥＤ５２ｒ・５２ｇ・５２ｂの発光率の比率が変化（白色に遷移）する。つまり、エリア５１毎に、バックライト５０の発光状態が遷移する（図１１の（２））。
【０１７３】
複数のエリア５１のうち、少なくとも１つのエリア５１におけるＬＥＤ５２ｒ・５２ｇ・５２ｂの発光率の比率が変化すると、状態検知部１１は、バックライト５０の発光状態の遷移を検知する（図１１の（３））。
【０１７４】
このように、エリア５１毎に、各ＬＥＤ５２ｒ・５２ｇ・５２ｂの発光率の比率が変化すると、表示エリアａ・ｂ間（図１２参照）で、背景画像１２０の色域が変化する。このため、各ＬＥＤ５２ｒ・５２ｇ・５２ｂの発光率の比率がエリア５１間で変化しても、彩度などの色補正パラメータを表示エリアａ・ｂ毎に一定にしていると、色補正パラメータが、最適な補正量の範囲から外れることになる。
【０１７５】
状態検知部１１は、複数のエリア５１のうち、少なくとも１つのエリア５１におけるＬＥＤ５２ｒ・５２ｇ・５２ｂの発光状態が、発光率演算部３２によって遷移されたことを検知すると（図１１の（３））、次に、修正率取得部１２は、発光率演算部３２が発光率を遷移させエリア５１におけるミックス率またはオフセットから、エリア５１毎に、色補正パラメータの修正率を算出する（図１１の（４））。
【０１７６】
この修正率の算出方法は、上述した（１）式を用いることができる。または、修正率は、演算ではなく、予め、ミックス率またはオフセットに対応する各色補正パラメータの修正率を決めておき、ＬＵＴとしてエリア５１毎に、記憶部２５に記憶しておき、ミックス率またはオフセットに対応する各色補正パラメータの修正率を、エリア５１毎に、記憶部２５から取得するようにしてもよい。
【０１７７】
そして、色補正パラメータ演算部２２は、修正率取得部１２が算出した色補正パラメータの修正率と、記憶部２５に記憶されているエリア５１に対応する色補正パラメータとから、発光率演算部３２が発光率を変化させたあとのエリア５１に表示させるフレームの色補正パラメータを再計算することで、色補正パラメータを算出する（図１１（５））。
【０１７８】
このためＬＣＤパネル６０に表示させる画像のフレームのうち、発光率演算部３２が発光率を変化させたあとの、表示エリアａ・ｂに表示されるフレームの色補正を行うことができる。このため、ＬＥＤ５２ｒ・５２ｇ・５２ｂの発光率の変化により生じるエリアａ・ｂ間の色合いの変化を防止することができる。
【０１７９】
ここで、独立駆動制御であって、エリアアクティブ駆動を行っているときに、色補正を行う領域を、表示画面のうち、一部の領域としてもよい。
【０１８０】
例えば、状態検知部１１が、ＬＥＤ５２ｒ・５２ｇ・５２ｂの発光率の状態の変化を検知する領域を、図１０に示すように、ＬＣＤパネル６０の画像の表示面中の一部の表示エリアｄとする。すると、状態検知部１１は、表示エリアｄ内に含まれるＬＥＤ５２ｒ・５２ｇ・５２ｂの発光率が変化したときのみ、発光率の変化を検知する。
【０１８１】
そして、修正率取得部１２は、表示画面に表示する画像のうち、表示エリアｄに含まれる画像におけるフレームの色補正パラメータの修正率を取得する。そして、色補正パラメータ演算部２２は、表示エリアｄに含まれる画像におけるフレームの色補正パラメータの修正率から、表示エリアｄのフレームの色補正パラメータの補正を行う。
【０１８２】
このように、表示画面のうち、色補正パラメータの補正を行うエリアを絞ることで、リソースを節約することができるので、回路への負荷を軽減することができる。
【０１８３】
また、色補正パラメータを補正するエリアを絞ることで、極端に色補正の補正量が変化することを防止することができる。このため、画像を視聴しているユーザに対して、色補正による違和感を与えることを防止することができる。
【０１８４】
（サブピクセルからの影響が変化する場合）
バックライト５０の各エリア５１毎に、各ＬＥＤ５２ｒ・５２ｇ・５２ｂが独立駆動のエリアアクティブ駆動をしている場合、例えば初期設定としてユーザ等によって、彩度を下げる色補正パラメータが、色補正パラメータの初期値として設定され、記憶部２５に記憶される（図１１の（１））。ここで、記憶部２５には、複数のエリア５１毎に、色補正パラメータの初期値が記憶される。
【０１８５】
次に、複数のエリア５１のうち、ハロー現象を低減する必要が生じた場合など、発光率演算部３２によって、エリア５１毎に、ミックス率やオフセットが演算される。そして、エリア５１毎に、各ＬＥＤ５２ｒ・５２ｇ・５２ｂの発光率にミックス率やオフセットが加わる。これにより、各エリア５１毎に、ＬＥＤ５２ｒ・５２ｇ・５２ｂの発光率の比率が変化（白色に遷移）する。つまり、バックライト５０の発光状態が遷移する（図１１の（２））。
【０１８６】
複数のエリア５１のうち、少なくとも１つのエリア５１におけるＬＥＤ５２ｒ・５２ｇ・５２ｂの発光率の比率が変化すると、状態検知部１１は、バックライト５０の発光状態の遷移を検知する（図１１の（３））。
【０１８７】
このように、各ＬＥＤ５２ｒ・５２ｇ・５２ｂの発光率の比率が小さくなると、図１２で示したように、同じ階調の背景画像１２０であっても、表示エリアａと、表示エリアｂとでは、表示エリアｂでは白色の円画像１２１を表示するため、表示エリアａと、表示エリアｂとでは、ＬＣＤパネル６０の開口率が異なることになる。
【０１８８】
このように、表示エリアａと表示エリアｂとでは、ＬＣＤパネル６０の開口率が異なるため、隣接サブピクセル間の光漏れの影響が変化することになる。このため、各ＬＥＤ５２ｒ・５２ｇ・５２ｂの発光率の比率が変化しても、彩度などの色補正パラメータをエリアａ・ｂ毎に一定にしていると、色補正パラメータが、最適な補正量の範囲から外れることになる。
【０１８９】
状態検知部１１は、複数のエリア５１のうち、少なくとも１つのエリア５１におけるＬＥＤ５２ｒ・５２ｇ・５２ｂの発光状態が、発光率演算部３２によって遷移されたことを検知すると（図１１の（３））、次に、修正率取得部１２は、発光率演算部３２が発光率を遷移させエリア５１におけるミックス率またはオフセットから、エリア５１毎に、色補正パラメータの修正率を算出する（図１１の（４））。
【０１９０】
この修正率の算出方法は、上述した（１）式を用いることができる。または、修正率は、演算ではなく、予め、ミックス率またはオフセットに対応する各色補正パラメータの修正率を決めておき、ＬＵＴとしてエリア５１毎に、記憶部２５に記憶しておき、ミックス率またはオフセットに対応する各色補正パラメータの修正率を、エリア５１毎に、記憶部２５から取得するようにしてもよい。
【０１９１】
そして、色補正パラメータ演算部２２は、修正率取得部１２が算出した色補正パラメータの修正率と、記憶部２５に記憶されているエリア５１に対応する色補正パラメータとから、発光率演算部３２が発光率を変化させたあとのエリア５１に表示させるフレームの色補正パラメータを再計算することで、色補正パラメータを算出する（図１１（５））。
【０１９２】
このためＬＣＤパネル６０に表示させる画像のフレームのうち、発光率演算部３２が発光率を変化させたあとの、表示エリアａ・ｂに示されるフレームのうち、表示エリアａ・ｂ間で、色補正を行うことができる。このため、ＬＥＤ５２ｒ・５２ｇ・５２ｂの発光率の変化により生じる表示エリアａ・ｂ間の色合いの変化を防止することができる。
【０１９３】
（プログラム、コンピュータ読み取り可能な記録媒体）
また、表示装置１の各ブロック、特に、状態検知部１１、修正率取得部１２、色補正パラメータ演算部２２、画像データ演算部２３、及び発光率演算部３２は、ハードウェアロジックによって構成してもよいし、次のようにコンピュータを用いてソフトウェアによって実現してもよい。
【０１９４】
すなわち、状態検知部１１、修正率取得部１２、色補正パラメータ演算部２２、画像データ演算部２３、及び発光率演算部３２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。
【０１９５】
そして、本発明の目的は、上述した機能を実現するソフトウェアである状態検知部１１、修正率取得部１２、色補正パラメータ演算部２２、画像データ演算部２３、及び発光率演算部３２の制御プログラムのプログラムコード（実行形式プログラム、中間コードプログラム、ソースプログラム）をコンピュータで読み取り可能に記録した記録媒体を、状態検知部１１、修正率取得部１２、色補正パラメータ演算部２２、画像データ演算部２３、及び発光率演算部３２に供給し、そのコンピュータ（またはＣＰＵやＭＰＵ）が記録媒体に記録されているプログラムコードを読み出し実行することによっても、達成可能である。
【０１９６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９７】
また、状態検知部１１、修正率取得部１２、色補正パラメータ演算部２２、画像データ演算部２３、及び発光率演算部３２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１９８】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１９９】
本発明は、表示画像の映像信号によって光源の発光率を制御する表示装置に適用することができる。
【符号の説明】
【０２００】
１  液晶表示装置（表示装置）
１０  制御部
１１  状態検知部（検知手段）
１２  修正率取得部（修正率取得手段）
２０  映像処理部
２１  色補正部
２２  色補正パラメータ演算部（色補正演算手段）
２３  画像データ演算部
２５  記憶部
３０  アクティブ処理部
３１  ＬＣＤ開口率演算部
３２  発光率演算部（発光率変化手段）
４１  ＬＣＤパネル駆動部
４２  バックライト駆動部
５０  バックライト
５１  エリア（領域）
５２ｒ・５２ｇ・５２ｂ  ＬＥＤ（光源）
６０  ＬＣＤパネル（表示パネル）
ａ・ｂ・ｄ  表示エリア
【図１】
2011099961.tif 000003
【図２】
2011099961.tif 000004
【図３】
2011099961.tif 000005
【図４】
2011099961.tif 000006
【図５】
2011099961.tif 000007
【図６】
2011099961.tif 000008
【図７】
2011099961.tif 000009
【図８】
2011099961.tif 000010
【図９】
2011099961.tif 000011
【図１０】
2011099961.tif 000012
【図１１】
2011099961.tif 000013
【図１２】
2011099961.tif 000014
【図１３】
2011099961.tif 000015
【図１４】
2011099961.tif 000016
【図１５】
2011099961.tif 000017
【図１６】
2011099961.tif 000018